(57)【要約】【課題】優れた通風性や採光性が得られるとともに、天然素材の風合いを活かして住宅建物の玄関周りの外観にマッチする玄関構造を提供する。【解決手段】住宅建物１の玄関ドア２のさらに外側に隣接して黒竹３１の格子が設けられた格子戸３が設けられ、この格子戸３は、玄関ドア２を含む、扉上枠１２および扉横枠１１の区画全体を被覆する大きさに形成されて玄関軒裏１３から吊り下げられて玄関ドア２が設けられた壁面に沿ってスライド開閉できるようになされた玄関構造である。また、上記玄関構造において、扉上枠１２および扉横枠１１の区画が透光可能な素材で構成されるとともに、格子戸３は施錠可能となされたものである。【選択図】  図１
2008013972.tif 000002
【特許請求の範囲】
【請求項１】
住宅建物の玄関ドアのさらに外側に隣接して竹製または木製の格子が設けられた格子戸が設けられ、この格子戸は、玄関ドアを含む、扉上枠および扉横枠の区画全体を被覆する大きさに形成されて玄関軒裏から吊り下げられて玄関ドアが設けられた壁面に沿ってスライド開閉できるようになされたことを特徴とする玄関構造。
【請求項２】
扉上枠および扉横枠の区画が透光可能な素材で構成されるとともに、格子戸は施錠可能となされた請求項１記載の玄関構造。
【発明の詳細な説明】
【技術分野】
【０００１】
本発明は、住宅建物の玄関構造に関するものである。
【背景技術】
【０００２】
一般に、住宅建物の玄関は、優れた気密性や防犯性が求められる。そのため、一枚物のドア板の玄関ドアであったり、ドア板にガラス窓が設けらていたとしても、固定された固定窓で、通風可能なものでは無かった。
【０００３】
そこで、従来より、このような玄関に通風機能を持たせるための工夫として、玄関ドアの一側に通風可能な網戸や鉄格子を嵌め込んだ開口を設けることが提案されている（特許文献１、２参照）。
【特許文献１】特開平１１−１７３０２３号公報
【特許文献１】特開２０００−２０４８５８号公報
【発明の開示】
【発明が解決しようとする課題】
【０００４】
しかし、玄関は、デザイン的にいろいろと求められるが、それ以外にも、防火性や防犯性なども必要とされる部位であり、素材やデザインにも制限がある。また、通風などの目的で開放しておきたい部分であるが、開いてしまうとデザインそのものが損なわれるばかりか、防犯性などの面からも不都合を生じる。
【０００５】
また、上記従来の玄関の場合、玄関ドア自体は、依然として防犯性に優れた重厚な印象が強いので、住宅建物全体の雰囲気に玄関ドアが合わないといった不都合を生じることとなる。特に自然の風合いを活かして天然素材を多用したり、窓を多く設けて開放的な雰囲気を高めたような住宅建物の場合、玄関の印象が重厚で重苦しくなってしまう。
【０００６】
そのため、玄関ドアの表面に木調の化粧材を被覆したりすることによって住宅建物の雰囲気に合わせるようなことが行われているが、この場合も玄関ドア自体は、閉塞感が高いので、住宅建物の雰囲気に完全に合うような玄関ドアを提供することが出来ないといった不都合を生じていた。
【０００７】
また、玄関ドアの一側に設けた開口からの通風であるため、通風を行うといっても限られた開口部からの通風となるため、十分な通風性が得られない。また、玄関内において、この玄関ドア横の開口付近には、通風のために常にスペースを保っておかなければならない。
【０００８】
本発明は、係る実情に鑑みてなされたものであって、優れた通風性や採光性が得られるとともに、天然素材の風合いを活かして住宅建物の玄関周りの外観にマッチする玄関構造を提供することを目的としている。
【課題を解決するための手段】
【０００９】
上記課題を解決するための本発明の玄関構造は、住宅建物の玄関ドアのさらに外側に隣接して竹製または木製の格子が設けられた格子戸が設けられ、この格子戸は、玄関ドアを含む、扉上枠および扉横枠の区画全体を被覆する大きさに形成されて玄関軒裏から吊り下げられて玄関ドアが設けられた壁面に沿ってスライド開閉できるようになされたものである。
【００１０】
また、上記玄関構造において、扉上枠および扉横枠の区画が透光可能な素材で構成されるとともに、格子戸は施錠可能となされたものである。
【発明の効果】
【００１１】
以上述べたように、本発明によると、格子戸を閉めることによって、玄関ドアを含む、扉上枠および扉横枠の区画全体を被覆して重厚な印象の玄関ドアを隠すとともに、この格子戸に設けられた竹製または木製の格子が、天然素材の風合いを強調して住宅建物の玄関周りの外観にマッチすることとなる。
【００１２】
また、玄関ドアを開けた状態で格子戸を閉めることによって、玄関内部には、格子戸を通して優れた通風性や採光性が得られることとなる。
【発明を実施するための最良の形態】
【００１３】
以下、本発明の実施の形態を図面を参照して説明する。
【００１４】
図１は玄関構造の全体構成の概略を示し、図２および図３は、同玄関構造の断面図を示し、図４は同玄関構造に用いる格子戸３を示している。
【００１５】
すなわち、この玄関構造は、住宅建物１の玄関ドア２のさらに外側に格子戸３を設けて構成されている。
【００１６】
住宅建物１は、玄関に幅約１１００ｍｍ、高さ約２１５０ｍｍの開口部１０が形成されており、開口部１０の横には、幅約５００ｍｍ、高さ約２１５０ｍｍの扉横枠１１が区画されている。また、開口部１０および扉横枠１１の上には、幅約１６００ｍｍ、高さ約４５０ｍｍの扉上枠１２が区画されている。扉横枠１１および扉上枠１２には、それぞれ透明の防犯合わせガラスが設けられている。
【００１７】
玄関ドア２は、枠体２１の両面に木板２２を貼設して構成された、幅約１２００ｍｍ、高さ約２８００ｍｍの木製片引き戸からなる。この玄関ドア２は、開口部１０の屋外に接して設けられた戸枠２３に沿って横方向にスライド開閉することができるようになされている。また、玄関ドア２は、閉じた状態で、戸枠２３に施錠することができるようになされている。
【００１８】
格子戸３は、Ｌ字状のアングル材によって組まれた高さ約２７００ｍｍ、幅約１７５０ｍｍ、厚み約５０ｍｍの枠３０内に、直径約３５ｍｍの天然の黒竹３１を、隣接する黒竹３１との間隙が約２０ｍｍとなるように複数本立設させて縦格子模様を構成するようになされている。この格子戸３は、上辺に釣車３２が設けられており、この釣車３２が、住宅建物１の玄関軒裏１３に固定された２本の箱レール３３内を滑動するように、それぞれの箱レール３３に取り付けられて引き違い戸を構成するようになされている。この取付状態で、箱レール３３は、格子戸３が、上記玄関ドア２に隣接するように位置決めされている。これによって格子戸３は、閉じることで、玄関ドア２、扉横枠１１、扉上枠１２を全て被覆することができるようになされている。この格子戸３は、閉じた状態で、住宅建物１の開口部１０や玄関ドア２戸枠２３が設けられた化粧側板１４に当接するようになされており、この化粧側板１４に施錠することができるようになされている。
【００１９】
このようにして構成される玄関構造によると、格子戸３を閉めることによって、玄関ドア２を含む、扉上枠１１および扉横枠１２の区画全体を被覆することができ、この格子戸３に設けられた黒竹３１の格子が、天然素材を多用した住宅建物１の玄関周りの外観にマッチすることとなる。
【００２０】
この状態で、玄関ドア２が閉まった状態であったとしても、扉横枠１１および扉上枠１２には、それぞれ透明の防犯合わせガラスを設けているので、格子戸３からこれら扉横枠１１および扉上枠１２を介して玄関内に採光が得られることとなる。
【００２１】
また、玄関ドア２を開けた状態で格子戸を閉めることによって、玄関内部には、上記した扉横枠１１および扉上枠１２からの採光に加えて、格子戸３介して開口部１０からの優れた通風性や採光性が得られることとなる。この開口部１０からの通風性や採光性は、玄関ドア２の開き具合で調整することができる。
【００２２】
玄関ドア２のすぐ外側に玄関ドア２をカバーするような格子戸３を設けて二重構造とし、玄関に要求される防火性や防犯性の基本は内側の玄関ドア２に持たせることで、外側の格子戸３は素材やデザインの自由度が向上する。
【００２３】
また、二重構造を活かし、在宅時には内部の玄関ドア２を開放し、外側の格子戸３を閉じることで、通風を確保しながら、ある程度の防犯性（安心感）とスダレ効果による外からの視線制御が可能となり、外出時には二重の防犯性能を持たせることも可能となる。
【００２４】
特にこの玄関構造は、玄関開口部１０を通風の採り入れ口としつつも、防犯性をある程度確保できるので、広い庭や門塀が確保できない都市部の住宅などで有効である。
【００２５】
なお、本実施の形態において、扉横枠１１および扉上枠１２には、それぞれ透明の防犯合わせガラスを設けているが、少なくとも何れか一方が、透明では無い遮光素材であってもよいし、元々扉横枠１１や扉上枠１２を設けないものであってもよい。また、透明な素材についても、本実施の形態では防犯合わせガラスを設けているが、ポリカーボネートなどの樹脂素材であってもよいし、ステンドグラスのようなものであってもよいし、着色フィルムなどによって光の透過率が調整された素材であってもよい。
【００２６】
また、本実施の形態において、玄関ドア２は、片引き戸となっているが、一対の引き違い戸であってもよい。また、玄関ドア２には、採光のための固定窓が設けられていないが、この玄関ドア２に採光のための固定窓が設けられていてもよい。
【００２７】
さらに、本実施の形態において、格子戸３は、黒竹３１によって縦格子を構成するようになされているが、黒竹３１以外の竹、その他各種の木材を用いて構成したものであってもよい。この場合、各素材は、本実施の形態で用いている黒竹３１のように幹だけ残して円筒状のまま使用するものであってもよいし、それをさらに切断加工したものを用いてもよい。また、本実施の形態では、縦格子を構成しているが、横格子であってもよいし、縦横組み合わせた格子模様であってもよいし、縦横斜めに組み合わせたひし形の格子模様であってもよい。また、格子戸３の玄関内側の面に虫の侵入を防止するネット（図示省略）などを貼設するものであってもよい。さらに、格子戸３は、玄関ドア２の外側に設けるようになされているが、この玄関ドア２に隣接する外壁やサッシなどの前にも同じ格子戸３を設置することで、外観デザインの統一感を出すとともに、窓の面格子として機能展開させてもよい。
【００２８】
さらに、本実施の形態の玄関構造は、勝手口玄関や店舗の出入口などの用途でも活用が可能である。
【産業上の利用可能性】
【００２９】
住宅建物の玄関に利用できる。
【図面の簡単な説明】
【００３０】
【図１】本発明に係る玄関構造の全体構成の概略を示す斜視図である。
【図２】本発明に係る玄関構造の全体構成の概略を示す部分省略垂直断面図である。
【図３】本発明に係る玄関構造の全体構成の概略を示す水平断面図である。
【図４】本発明に係る玄関構造に用いられる格子戸の全体構成の概略を示す正面図である。
【符号の説明】
【００３１】
１  住宅建物
１１  扉横枠
１２  扉上枠
１３  玄関軒裏
２  玄関ドア
３  格子戸
３１  黒竹
【図１】
2008013972.tif 000003
【図２】
2008013972.tif 000004
【図３】
2008013972.tif 000005
【図４】
2008013972.tif 000006